(57)【要約】      （修正有）【課題】本発明は、開削工法により円形の地下水路を構築する場合に使用される円形頂版外型枠に係り、例え急傾斜地に円形暗渠を築造する場合においても、コンクリート打設中の充填の確認と型枠内部に残った空気やブリージングの除去を容易にし、型枠のコスト低減と施工性の向上による工期短縮効果が見込めるメッシュ型枠を提供することが課題である。【解決手段】円形暗渠の築造方法として、暗渠の断面形状が馬蹄形状で上半分が半円形状，半楕円形状または半多角形状のいずれかで、応力を分散させる形状である暗渠の円形頂版外型枠９にメッシュ型枠を使用しコンクリート躯体を形成することを特徴とする。【選択図】図１
2006118152.tif 000002
【特許請求の範囲】
【請求項１】
円形暗渠の開削方式による構築方法において、山留め杭を設けて杭内側の土を掘削、除去した後、当該円形暗渠を構築するためのコンクリートを打設するため、円形頂版外型枠にメッシュ型枠を使用し、内側の円形型枠よりセパレーター等の間隔保持部材により、構造物寸法を確保しコンクリートを打設し、円形頂版外型枠より型枠内部の空気およびブリージングを除去し、また充填性の確認をすることを特徴とする円形暗渠の構築方法
【請求項２】
暗渠の開削方式による構築方法において、断面形状が馬蹄形状で上半分が半円形状，半楕円形状または半多角形状のいずれかで、応力を分散させる形状である暗渠の頂版外型枠にメッシュ型枠を使用する構築方法
【発明の詳細な説明】
【技術分野】
【０００１】
この発明は、円形暗渠の頂版型枠工法に関するものである。
【背景技術】
【０００２】
従来は、第４図に示すように、円形暗渠を開削工法により構築する場合、山留め杭１を設けて杭内の土を掘削、除去した後、円形暗渠のコンクリートを打設するための円形頂版外型枠１１を、木製または鋼製型枠を使用し、コンクリート打設用の開口部を数カ所設け、コンクリート打設後に閉塞し円形暗渠を構築している。
【特許文献１】なし
【非特許文献１】なし
【発明の開示】
【発明が解決しようとする課題】
【０００３】
地下水路を築造する場合には、まず施工性の良い箱形暗渠を検討し埋設深が深い場合や流水の内部摩擦損失等により、箱形暗渠が適当でない場合に円形暗渠を築造している。さらに、埋設深の浅い所から深い所までの傾斜部の勾配を、道路占用工事が交通流阻害への影響抑止、工事施工用地の確保性、建設発生土の抑制および建設工事費の縮減が課題となり、傾斜部の勾配が急傾斜になっている。例えば、構造物の土被りを２．５ｍ、河川横断のための推進管の土被りを１０．５ｍとし、傾斜部の水平距離を１６ｍと仮定した場合、この勾配は５０％で約３０度となる。このような急傾斜地に円形暗渠の円形頂版外型枠を従来の木製または鋼製型枠を使用し築造すると、密閉性が高いためコンクリートの充填の確認が行えないばかりか、型枠内部に残った空気やブリージングの影響により目的とする品質の構造物が得らないなどの課題がある。
【課題を解決するための手段】
【０００４】
請求項１の発明は、このような点に鑑みてなされたものであり、円形暗渠の築造方法として、円形暗渠の円形頂版外型枠にメッシュ型枠を使用し、開放型構造とすることを最も主要な特徴とする。
【０００５】
また請求項２の発明は、断面形状が馬蹄形状で上半分が半円形状，半楕円形状または半多角形状のいずれかで、応力を分散させる形状である暗渠の頂版外型枠にメッシュ型枠を使用し、そのメッシュ型枠を存置することを特徴とする。
【発明の効果】
【０００６】
上記の工法により、現場用地および周辺環境により円形暗渠の勾配が急である場合でも、円形頂版外型枠にメッシュ型枠を使用することにより、コンクリートの充填を目視確認が行え、かつ、ブリージングや型枠内の空気の除去が十分に行えるため密実なコンクリート構造物が得られる。また、従来と比べても材料費が安くなり、軽量で作業性が良く、型枠を存置とすることができるため工期短縮の効果も見込める。
【発明を実施するための最良の形態】
【０００７】
円形暗渠のコンクリート充填性およびブリージングや型枠内の空気の除去を行うことを目的とし、メッシュ型枠を使用することにより実現した。
【実施例】
【０００８】
次に、本発明に係る円形暗渠の円形頂版外型枠について図面を参照して説明する。なお、発明の理解容易のため従来例に対応する部分には従来例と同一符号を付けて説明する。図１は本発明の実施の形態の円形暗渠における外壁型枠の施工状況を示す図、図２−（Ａ）〜（Ｄ）は本実施の形態の型枠工法の施工順序を説明する図である。
【０００９】
具体的には、図２−（Ａ）に示すように、本実施の形態の円形暗渠１０の開削工法による構築方法において、山留め杭１を設けて杭内側の土を掘削、除去した後、基礎コンクリート２を打設する。この際、内部円形型枠４を固定するためのスペーサー３とアンカーボルト５を基礎コンクリート２に差し込んでおく。その後、基礎コンクリート２の養生を行い、鉄筋および内部円形型枠４を組立、底版コンクリートを打設する。
【００１０】
次に図２−（Ｂ）に示すように、まず、鉄筋の組立を行った後に内部円形型枠４の組立を角材６ａとサポート７を用いて組み立てる。その後、内部円形型枠４を基準とし間隔保持部材であるセパレーター８を使用し、円形頂版外型枠９の位置を決め角材６ｂを使用し固定し組み立てる。
【００１１】
この際に使用するメッシュ型枠に接する箇所のセパレーターには埋込み式のＰコン（防水型または塩害防止型）を使用しておく、これは、コンクリート打設完了後に外部頂版型枠の脱型をせずに施工するためであり、外部支保工材を撤去した後に埋込み式のＰコンに埋込み栓をすることにより、セパレーター箇所からの漏水を防止することが可能となる。（図３参照）
【００１２】
次に図２−（Ｃ）に示すように、円形頂版外型枠９に設けた開口部よりコンクリートを打設しバイブレーターにより締め固める。また、コンクリート打設高と調整し開口部を閉じる。しかし、円形頂版外型枠９にメッシュ型枠を使用しているため、コンクリートの充填の確認および空気やブリージングの除去が容易に出来る。
【００１３】
また、コンクリート打設完了後にメッシュ型枠から漏出しているノロを、コテにより押さえることにより仕上がりの状態が良くなる。
【００１４】
次に図２−（Ｄ）に示すように、コンクリートを十分に養生した後、内部円形型枠４および角材６やサポート７の解体撤去を行う。この際、円形頂版外型枠９はメッシュ型枠を使用しているため、存置とすることができ型枠脱型の必要がなく、工期の短縮ができる。
【産業上の利用可能性】
【００１５】
開削工法による暗渠の頂版外型枠にメッシュ型枠を使用することによって、作業員によるコンクリートの充填性の確認が不可欠な用途にも適用できる。
【図面の簡単な説明】
【００１６】
【図１】本発明の実施の形態の円形暗渠における外壁型枠の施工状況を示す図である
【図２−（Ａ）】本実施の形態の型枠工法の施工順序を説明する図である。
【図２−（Ｂ）】本実施の形態の型枠工法の施工順序を説明する図である。
【図２−（Ｃ）】本実施の形態の型枠工法の施工順序を説明する図である。
【図２−（Ｄ）】本実施の形態の型枠工法の施工順序を説明する図である。
【図３】円形頂版型枠に設置するセパレーターの詳細図である。
【図４】従来の円形暗渠における外部外型枠の施工状況を示す図である
【符号の説明】
【００１７】
１  シートパイル
２  基礎コンクリート
３  スペーサー（鉄筋）
４  内部円形型枠（通常 木製または鋼製）
５  アンカーボルト
６ａ、６ｂ  支保工材（通常 木製または鋼製の角材）
７  サポート
８  セパレーター
９  円形頂版外型枠（メッシュ型枠）
１０  打設された円形暗渠
１１  円形頂版外型枠（木製・鋼製）
１２  スペーサー（パイプ）
１３  Ｐコン（撤去補修タイプ）
１４  Ｐコン（埋込み式 防水型または塩害防止型）
１５  埋込み栓
【図１】
2006118152.tif 000003
【図２−（Ａ）】
2006118152.tif 000004
【図２−（Ｂ）】
2006118152.tif 000005
【図２−（Ｃ）】
2006118152.tif 000006
【図２−（Ｄ）】
2006118152.tif 000007
【図３】
2006118152.tif 000008
【図４】
2006118152.tif 000009